(57)【要約】【課題】建具の排水孔を目立たなくして、排水のための部品の数を増加させずに、排水孔による排水を確実に行う。【解決手段】下枠６は、一対の縦枠の間でパネル体に沿って配置される上面部６０を有する。縦押縁５０は、上面部６０と上枠の間でパネル体に沿って配置される。上面部６０は、縦押縁５０により遮蔽される遮蔽部６１と、縦押縁５０により遮蔽されずに露出する露出部６２を有する。排水孔７０は、遮蔽部６１に形成されるとともに、縦押縁５０から露出部６２にはみ出す。傾斜部６３は、露出部６２にはみ出す排水孔７０のはみ出し外縁部７３から縦押縁５０の下方位置まで斜め下方に傾斜する。【選択図】  図３
2018013013.tif 000002
【特許請求の範囲】
【請求項１】
上枠、下枠、及び、一対の縦枠により開口部を形成する枠体と、前記枠体の開口部に配置されるパネル体と、を備えた建具であって、
前記下枠は、前記一対の縦枠の間で前記パネル体に沿って配置される上面部を有し、
前記縦枠は、前記下枠の上面部と前記上枠の間で前記パネル体に沿って配置される縦押縁を有し、
前記下枠の上面部は、前記縦押縁により遮蔽される遮蔽部と、前記縦押縁により遮蔽されずに露出する露出部と、前記遮蔽部に形成されるとともに前記縦押縁から前記露出部にはみ出す排水孔と、前記露出部にはみ出す前記排水孔のはみ出し外縁部から前記縦押縁の下方位置まで斜め下方に傾斜する傾斜部と、を有する建具。
【請求項２】
請求項１に記載された建具において、
前記下枠の上面部は、前記排水孔の周囲の前記露出部に形成された溝を有する建具。
【請求項３】
請求項２に記載された建具において、
前記溝は、前記はみ出し外縁部に接続する建具。
【請求項４】
請求項２に記載された建具において、
前記溝は、前記はみ出し外縁部に沿って形成された建具。
【請求項５】
請求項１ないし４のいずれかに記載された建具において、
前記はみ出し外縁部は、前記縦押縁の下端部の外面に沿って形成された建具。
【請求項６】
請求項１ないし５のいずれかに記載された建具において、
前記傾斜部は、前記はみ出し外縁部から前記縦押縁の下方位置まで斜め下方に傾斜する前記排水孔の内面部である建具。
【請求項７】
請求項１ないし５のいずれかに記載された建具において、
前記傾斜部は、前記はみ出し外縁部から前記縦押縁の下方位置まで斜め下方に傾斜する突片である建具。
【発明の詳細な説明】
【技術分野】
【０００１】
本発明は、枠体とパネル体を備えた建具に関する。
【背景技術】
【０００２】
パネル体の表面での結露等により、建具の下枠の上面に水が溜まることがある。そのため、排水孔が下枠の上面を貫通して形成されて、水が排水孔から排水される。しかしながら、排水孔が露出するときには、排水孔を通して、下枠の内部がみえることがある。また、下枠の上面で排水孔が目立つことで、建具の外観に影響が生じる虞がある。
【０００３】
これに対し、従来、排水口（排水孔）と縦枠の押桟（縦押縁）の間に配置した排水体により、排水孔を塞ぐ排水装置が知られている（特許文献１参照）。
ところが、特許文献１に記載された従来の排水装置では、排水体が、排水孔に挿入される排水弁と、排水弁に収容される球体と、排水弁を係止するキャップを有する。そのため、排水のための部品の数が増加して、排水装置のコストが高くなることがある。また、キャップに形成された水の導入口が露出しており、導入口の孔が目立つ虞がある。
【先行技術文献】
【特許文献】
【０００４】
【特許文献１】実開平７−３８５７４号公報
【発明の概要】
【発明が解決しようとする課題】
【０００５】
本発明は、前記従来の問題に鑑みなされたもので、その目的は、縦押縁を備えた建具の排水孔を目立たなくして、排水のための部品の数を増加させずに、排水孔による排水を確実に行うことである。
【課題を解決するための手段】
【０００６】
本発明は、上枠、下枠、及び、一対の縦枠により開口部を形成する枠体と、前記枠体の開口部に配置されるパネル体と、を備えた建具である。前記下枠は、前記一対の縦枠の間で前記パネル体に沿って配置される上面部を有する。前記縦枠は、前記下枠の上面部と前記上枠の間で前記パネル体に沿って配置される縦押縁を有する。前記下枠の上面部は、前記縦押縁により遮蔽される遮蔽部と、前記縦押縁により遮蔽されずに露出する露出部と、前記遮蔽部に形成されるとともに前記縦押縁から前記露出部にはみ出す排水孔と、前記露出部にはみ出す前記排水孔のはみ出し外縁部から前記縦押縁の下方位置まで斜め下方に傾斜する傾斜部と、を有する。
【発明の効果】
【０００７】
本発明によれば、縦押縁を備えた建具の排水孔を目立たなくして、排水のための部品の数を増加させずに、排水孔による排水を確実に行うことができる。
【図面の簡単な説明】
【０００８】
【図１】本実施形態の建具の断面図である。
【図２】本実施形態の建具の断面図である。
【図３】本実施形態の下枠の断面図である。
【図４】枠体の下側の角部を示す斜視図である。
【図５】他の実施形態の傾斜部を有する下枠を示す断面図である。
【図６】上面部の露出部に形成された溝の例を示す斜視図である。
【図７】上面部の露出部に形成された溝の例を示す斜視図である。
【発明を実施するための形態】
【０００９】
本発明の建具の一実施形態について、図面を参照して説明する。
本実施形態の建具は、枠体にパネル体が固定された固定窓であり、パネル体により、枠体の開口部を閉鎖する。
【００１０】
図１、図２は、本実施形態の建具１の断面図であり、建具１の概略構成を示している。図１は、建具１を垂直方向に切断した縦断面図であり、図２は、建具１を水平方向に切断した横断面図である。
図示のように、建具１は、建築物の開口部に設置されて、建築物の室内と室外の間に配置される。また、建具１は、パネル体２と、パネル体２を囲む枠体３を備えている。パネル体２は、方形状の固定面材であり、枠体３の開口部３Ａに配置される。また、パネル体２は、２枚のガラス板２Ａ、２Ｂを有する複層ガラスであり、枠体３の内側に嵌め込まれて、枠体３に固定される。
【００１１】
枠体３は、方形状の開口枠（窓枠）であり、複数の取付部材４（ここでは、ねじ）により、建築物の開口部を囲む縁部に取り付けられる。また、枠体３は、枠組みされた４つの枠５〜７（上枠５、下枠６、一対の縦枠７）を有し、枠５〜７により、方形状の開口部３Ａを形成する。枠５〜７は、枠体３を構成する長尺部材であり、それぞれパネル体２の縁部（上縁部、下縁部、一対の縦縁部）に沿って配置される。パネル体２の縁部が枠５〜７により保持されて、パネル体２が枠体３の開口部３Ａに保持される。
【００１２】
枠体３は、金属と樹脂からなる複合サッシであり、４つの枠５〜７に、金属製の金属枠部５Ａ〜７Ａと、合成樹脂製の樹脂枠部５Ｂ〜７Ｂを有する。金属枠部５Ａ〜７Ａは、枠５〜７のベース部（枠本体）であり、樹脂枠部５Ｂ〜７Ｂは、金属枠部５Ａ〜７Ａに装着される装着部である。金属枠部５Ａ〜７Ａは、金属（ここでは、アルミニウム合金）の押出成形により成形されて、方形状に組み合わされる。樹脂枠部５Ｂ〜７Ｂは、合成樹脂の押出成形により成形されて、それぞれ金属枠部５Ａ〜７Ａに取り付けられる。樹脂枠部５Ｂ〜７Ｂは、それぞれ枠５〜７の長手方向に沿って配置されて、金属枠部５Ａ〜７Ａの室内に露出する部分を覆う。
【００１３】
上枠５の樹脂枠部５Ｂは、上アングル部１０と上押縁２０を有し、パネル体２の室内側に配置されるとともに、一対の縦枠７の間に配置される。また、上アングル部１０は、上押縁２０の室内側に配置され、上押縁２０は、パネル体２と上アングル部１０の間に配置される。上アングル部１０は、係合部である１つの突出部１１を有し、屈曲形状に形成されている。上押縁２０は、係合部である２つの突出部２１と、パネル体２を保持する保持部２２を有し、中空状に形成されている。
【００１４】
上枠５の金属枠部５Ａは、パネル体２を保持する保持部５Ｃと、アングル取付部５Ｄと、押縁取付部５Ｅを有する。保持部５Ｃは、開口部３Ａの内側（パネル体２側）に突出する突出部であり、パネル体２の室外側で、パネル体２の上縁部に沿って配置される。密閉材８が、保持部５Ｃに取り付けられて、パネル体２の室外側の面に接触する。上アングル部１０の突出部１１は、溝状の被係合部であるアングル取付部５Ｄに挿入されて、アングル取付部５Ｄに係合する。これにより、上アングル部１０が金属枠部５Ａのアングル取付部５Ｄに取り付けられる。
【００１５】
上押縁２０の２つの突出部２１は、押縁取付部５Ｅの２つの被係合部の内側に挿入されて、それぞれ押縁取付部５Ｅの被係合部に係合する。これにより、上押縁２０が金属枠部５Ａの押縁取付部５Ｅに取り付けられる。上押縁２０は、パネル体２の室内側で、パネル体２の上縁部に沿って配置される。密閉材８が、上押縁２０の保持部２２に取り付けられて、パネル体２の室内側の面に接触する。パネル体２の上縁部は、金属枠部５Ａの保持部５Ｃと上押縁２０の保持部２２の間に配置されて、保持部５Ｃ、２２に保持される。
【００１６】
下枠６の樹脂枠部６Ｂは、下アングル部３０を有し、パネル体２の室内側に配置されるとともに、一対の縦枠７の間に配置される。下アングル部３０は、係合部である２つの突出部３１と、パネル体２を保持する保持部３２を有し、屈曲形状に形成されている。下枠６の金属枠部６Ａは、パネル体２を保持する保持部６Ｃと、アングル取付部６Ｄを有する。保持部６Ｃは、開口部３Ａの内側に突出する突出部であり、パネル体２の室外側で、パネル体２の下縁部に沿って配置される。密閉材８が、保持部６Ｃに取り付けられて、パネル体２の室外側の面に接触する。
【００１７】
下アングル部３０の２つの突出部３１は、アングル取付部６Ｄの２つの被係合部の外側に配置されて、それぞれアングル取付部６Ｄの被係合部に係合する。これにより、下アングル部３０が金属枠部６Ａのアングル取付部６Ｄに取り付けられる。下アングル部３０は、パネル体２の室内側で、パネル体２の下縁部に沿って配置される。密閉材８が、下アングル部３０の保持部３２に取り付けられて、パネル体２の室内側の面に接触する。パネル体２の下縁部は、金属枠部６Ａの保持部６Ｃと下アングル部３０の保持部３２の間に配置されて、保持部６Ｃ、３２に保持される。
【００１８】
縦枠７の樹脂枠部７Ｂは、縦アングル部４０と縦押縁５０を有し、パネル体２の室内側に配置されるとともに、上枠５と下枠６の間に配置される。また、縦アングル部４０は、縦押縁５０の室内側に配置され、縦押縁５０は、パネル体２と縦アングル部４０の間に配置される。縦アングル部４０は、係合部である１つの突出部４１を有し、屈曲形状に形成されている。縦押縁５０は、係合部である２つの突出部５１と、パネル体２を保持する保持部５２を有し、中空状に形成されている。
【００１９】
縦枠７の金属枠部７Ａは、パネル体２を保持する保持部７Ｃと、アングル取付部７Ｄと、押縁取付部７Ｅを有する。保持部７Ｃは、開口部３Ａの内側に突出する突出部であり、パネル体２の室外側で、パネル体２の縦縁部に沿って配置される。密閉材８が、保持部７Ｃに取り付けられて、パネル体２の室外側の面に接触する。縦アングル部４０の突出部４１は、溝状の被係合部であるアングル取付部７Ｄに挿入されて、アングル取付部７Ｄに係合する。これにより、縦アングル部４０が金属枠部７Ａのアングル取付部７Ｄに取り付けられる。
【００２０】
縦押縁５０の２つの突出部５１は、押縁取付部７Ｅの２つの被係合部の内側に挿入されて、それぞれ押縁取付部７Ｅの被係合部に係合する。これにより、縦押縁５０が金属枠部７Ａの押縁取付部７Ｅに取り付けられる。縦押縁５０は、パネル体２の室内側で、パネル体２の縦縁部に沿って配置される。密閉材８が、縦押縁５０の保持部５２に取り付けられて、パネル体２の室内側の面に接触する。パネル体２の縦縁部は、金属枠部７Ａの保持部７Ｃと縦押縁５０の保持部５２の間に配置されて、保持部７Ｃ、５２に保持される。
【００２１】
下枠６は、パネル体２の下縁部に沿って配置される上面部６０を有する。上面部６０は、下枠６の上面を構成する部分であり、上枠５の下面部２３と対向して配置される。上面部６０の上側の表面は、下枠６の上面であり、平面状に形成されている。上面部６０は、枠体３の内周部のうちの一部（下部）でり、パネル体２の室内側で、枠体３の開口部３Ａの下部を区画する。ここでは、上面部６０は、下アングル部３０の上面を含む板状の見込み部であり、パネル体２から室内側に突出して、下枠６の見込み方向（室内外方向）に沿って配置される。
【００２２】
下枠６の上面部６０と縦枠７の縦押縁５０は、パネル体２の室内側に配置されて、パネル体２に隣接する。また、上面部６０は、一対の縦枠７の間でパネル体２に沿って配置され、縦押縁５０は、上面部６０と上枠５（ここでは、下面部２３）の間でパネル体２に沿って配置される。縦枠７側に位置する上面部６０の端部が縦押縁５０の下方に配置されて、縦押縁５０の下端部５３が上面部６０の端部に接触する。
【００２３】
下枠６の上面部６０は、縦押縁５０により遮蔽される遮蔽部６１と、枠体３の開口部３Ａの内側に露出する露出部６２と、縦押縁５０の下方に配置される排水孔７０を有する。遮蔽部６１は、縦枠７側に位置する上面部６０の所定部であり、遮蔽部６１と排水孔７０は、一対の縦枠７側に位置する上面部６０の両端部に設けられている。縦押縁５０の下端部５３が遮蔽部６１に配置されて、遮蔽部６１が縦押縁５０により隠される。
【００２４】
露出部６２は、縦押縁５０により遮蔽されずに露出する上面部６０の非遮蔽部である。縦押縁５０の下端部５３は、露出部６２に配置されず、露出部６２は、パネル体２の室内側で露出する。排水孔７０は、上面部６０を貫通する矩形状の貫通孔であり、上面部６０に溜まった水を上面部６０から排水する。上面部６０の水は、排水孔７０を通って、下枠６の外部に排水される。排水孔７０は、上面部６０の遮蔽部６１に形成されるとともに、縦押縁５０（遮蔽部６１）から上面部６０の露出部６２にはみ出す。
【００２５】
図３は、本実施形態の下枠６の断面図であり、縦押縁５０の一部を破線で示している。図３Ａは、図２のＸ−Ｘ線で切断した下枠６を示し、図３Ｂは、図３Ａの排水孔７０を含む部分を拡大して示している。図４は、枠体３の下側の角部を示す斜視図であり、下枠６と縦枠７が交わる角部を斜め上方からみて示している。
図示のように、排水孔７０の一部は、縦押縁５０の下端部５３（遮蔽部６１）からはみ出して、上面部６０の露出部６２に形成される。そのため、排水孔７０は、縦押縁５０により遮蔽される遮蔽領域７１と、縦押縁５０から露出部６２にはみ出すはみ出し領域７２を有する。
【００２６】
排水孔７０の遮蔽領域７１は、上面部６０の遮蔽部６１に形成され、排水孔７０のはみ出し領域７２は、上面部６０の露出部６２に形成される。はみ出し領域７２は、排水孔７０のはみ出し外縁部７３を含む外縁領域であり、縦押縁５０により遮蔽されずに露出する。はみ出し外縁部７３は、露出部６２にはみ出す排水孔７０の外縁部（排水孔７０の上側の開口面の外縁部）であり、露出部６２において、縦押縁５０の下端部５３の外面に沿って形成される。排水孔７０は、所定寸法（例えば、８×８ｍｍ）に形成されて、縦押縁５０から僅かに（例えば、０．５ｍｍ）はみ出す。
【００２７】
下枠６の上面部６０は、排水孔７０の開口領域に、水平方向に対して傾斜する傾斜部６３を有する。傾斜部６３は、排水孔７０のはみ出し外縁部７３から縦押縁５０の下方位置まで斜め下方に傾斜する。パネル体２の室内側で排水孔７０をみたときには、排水孔７０のはみ出し領域７２が視認される。その際、傾斜部６３により、視線が遮られて、排水孔７０の開口が隠される。これに伴い、排水孔７０を通して下枠６の内部がみえるのが抑制される。
【００２８】
上面部６０の傾斜部６３は、縦押縁５０に接触せず、縦押縁５０の下方に配置される。傾斜部６３と縦押縁５０の間には隙間が形成される。その結果、排水孔７０のはみ出し領域７２が縦押縁５０により塞がれず、水が排水孔７０により排水される。水は、はみ出し領域７２から遮蔽領域７１に流動して、排水孔７０から下枠６の内部に移動する。続いて、水は、下枠６内の排水経路を通って、下枠６の外部（室外側）に排水される（図３Ａの矢印Ｗ参照）。
【００２９】
上面部６０の傾斜部６３は、排水孔７０のはみ出し領域７２の全体に形成されて、縦押縁５０の下方に向かって傾斜する。また、傾斜部６３は、排水孔７０のはみ出し領域７２から遮蔽領域７１まで形成される。傾斜部６３の上端部は、はみ出し外縁部７３であり、はみ出し領域７２（露出部６２）に位置する。傾斜部６３の下端部は、遮蔽領域７１（縦押縁５０の下方）に位置する。ここでは、傾斜部６３は、はみ出し外縁部７３を含む排水孔７０の内面部７４である。例えば、加圧部材により、内面部７４を斜めに潰すように加圧して、内面部７４を傾斜面に形成する。内面部７４は、はみ出し外縁部７３から縦押縁５０の下方位置まで斜め下方に傾斜する。
【００３０】
以上説明した建具１では、傾斜部６３により、排水孔７０を目立たなくして、建具１の外観を向上させることができる。また、排水孔７０により必要な排水性能を確保して、排水孔７０による排水を確実に行うことができる。排水のための部品の数を増加させることなく、円滑に排水でき、建具１のコストを削減することができる。下枠６の上面を平面状に形成して、下枠６の上面の凹凸を少なくすることもできる。
【００３１】
排水孔７０のはみ出し外縁部７３は、縦押縁５０の下端部５３の外面に沿って形成される。これにより、はみ出し外縁部７３を含む排水孔７０のはみ出し領域７２を、より目立たなくすることができる。上面部６０の傾斜部６３が排水孔７０の内面部７４であるときには、簡単な加工により傾斜部６３を形成することができる。排水孔７０の遮蔽領域７１を大きくすることで、排水孔７０を目立たせずに、排水孔７０を大きくすることができる。
【００３２】
排水孔７０のはみ出しが大きくなるほど、排水孔７０が目立ちやすくなり、排水孔７０のはみ出しが小さくなるほど、排水孔７０により排水しにくくなる。そのため、排水孔７０は、縦押縁５０から０．５ｍｍ程度（例えば、０．３〜０．７ｍｍ）はみ出すのが好ましい。また、水平方向に対する傾斜部６３の傾斜角度が大きくなるほど、排水孔７０が目立ちやすくなり、水平方向に対する傾斜部６３の傾斜角度が小さくなるほど、傾斜部６３が加工しにくくなる。そのため、水平方向に対する傾斜部６３の傾斜角度は、４５°程度（例えば、４０〜５０°）の角度であるのが好ましい。
【００３３】
なお、傾斜部６３は、加圧以外の加工により、下枠６の上面部６０に形成してもよい。例えば、機械加工（切削加工、研削加工等）により、傾斜部６３を形成してもよく、突出し加工により、傾斜部６３を形成してもよい。また、上面部６０の露出部６２に、排水孔７０による排水を補助する溝を形成してもよい。
【００３４】
図５は、他の実施形態の傾斜部６３を有する下枠６を示す断面図であり、図３と同様に、縦押縁５０の一部と下枠６を示している。
図示のように、ここでは、傾斜部６３は、水平方向に対して傾斜する突片６４である。突片６４は、排水孔７０のはみ出し外縁部７３から排水孔７０に向かって突出する板状の傾斜片であり、はみ出し外縁部７３から縦押縁５０の下方位置まで斜め下方に傾斜する。
【００３５】
下枠６の上面部６０に排水孔７０を形成するときに、はみ出し外縁部７３以外の排水孔７０の縁部を切り抜く。また、排水孔７０の内側の部分を、斜め下方に突出するように、はみ出し外縁部７３の位置で曲げ変形させる。これにより、突片６４（傾斜部６３）を上面部６０に形成する。傾斜部６３が突片６４であるときには、排水孔７０と傾斜部６３を同時に形成することができる。突片６４により、水を上面部６０の下方に向かって円滑に排水でき、水が上面部６０の下側の面に付着するのを抑制することもできる。
【００３６】
図６、図７は、上面部６０の露出部６２に形成された溝６５、６６の例を示す斜視図であり、図４と同様に、枠体３の下側の角部を示している。
図示のように、ここでは、下枠６の上面部６０は、１つ以上の溝６５、６６（図６では１つの溝６５、図７では１つの溝６６）を有する。溝６５、６６は、排水孔７０へ水を誘導する誘導溝であり、排水孔７０の周囲の露出部６２に形成されている。図６に示す溝６５は、排水孔７０のはみ出し外縁部７３に接続し、はみ出し外縁部７３から突出する。図７に示す溝６６は、はみ出し外縁部７３に沿って形成されて、排水孔７０から離れた位置に設けられる。
【００３７】
上面部６０の溝６５、６６に水が接触したときに、溝６５、６６により、表面張力に応じた水の形状が壊されて、水が上面部６０に拡がる。これにより、水を上面部６０から排水孔７０に誘導して、排水孔７０から水を円滑に排水することができる。はみ出し外縁部７３に接続する溝６５では、水を溝６５に沿ってはみ出し外縁部７３まで、より確実に誘導することができる。はみ出し外縁部７３に沿う溝６６では、溝６６により、はみ出し外縁部７３に沿う広い領域で、水をはみ出し外縁部７３に向かって誘導することができる。
【００３８】
以上、上面部６０が下アングル部３０の一部である実施形態について説明したが、上面部６０は、下アングル部３０以外の下枠６の部材（又は、部材の一部）であってもよい。例えば、下枠６が下アングル部３０を有さないときには、上面部６０は、下アングル部３０以外の樹脂枠部６Ｂの一部である。或いは、下枠６が樹脂枠部６Ｂを有さないときには、上面部６０は、金属枠部６Ａの一部である。このように、上面部６０は、樹脂製であってもよく、金属製であってもよい。
【００３９】
傾斜部６３は、少なくとも、上面部６０の露出部６２に位置する排水孔７０のはみ出し領域７２に形成される。また、露出部６２に位置する排水孔７０の１つの辺（露出辺）に傾斜部６３を形成してもよく、露出辺を含む排水孔７０の複数の辺に傾斜部６３を形成してもよい。排水孔７０のはみ出し領域７２は、縦押縁５０に対して、室内側の位置に配置されていてもよく、他の位置（例えば、一対の縦枠７の内側の位置）に配置されていてもよい。排水孔７０の形状は、矩形状以外の形状（例えば、円形状、種々の多角形状）であってもよい。
【符号の説明】
【００４０】
１・・・建具、２・・・パネル体、３・・・枠体、４・・・取付部材、５・・・上枠、６・・・下枠、７・・・縦枠、８・・・密閉材、１０・・・上アングル部、１１・・・突出部、２０・・・上押縁、２１・・・突出部、２２・・・保持部、２３・・・下面部、３０・・・下アングル部、３１・・・突出部、３２・・・保持部、４０・・・縦アングル部、４１・・・突出部、５０・・・縦押縁、５１・・・突出部、５２・・・保持部、５３・・・下端部、６０・・・上面部、６１・・・遮蔽部、６２・・・露出部、６３・・・傾斜部、６４・・・突片、６５・・・溝、６６・・・溝、７０・・・排水孔、７１・・・遮蔽領域、７２・・・はみ出し領域、７３・・・はみ出し外縁部、７４・・・内面部。
【図１】
2018013013.tif 000003
【図２】
2018013013.tif 000004
【図３】
2018013013.tif 000005
【図４】
2018013013.tif 000006
【図５】
2018013013.tif 000007
【図６】
2018013013.tif 000008
【図７】
2018013013.tif 000009